(57)【特許請求の範囲】
【請求項１】
本原稿を載置する原稿載置台と、
上記原稿載置台上に見開いて載置された本原稿の原稿面を見開き長手方向に露光走査することによって、この見開き本原稿上の原稿画像の読み取りを行なう画像読み取り手段と、
上記画像読み取り手段によって読み取られた画像データを記憶する画像データ記憶手段と、
上記原稿載置台上に見開いて載置された本原稿の、見開き長手方向の全長を検知する見開き本原稿長検知手段と、
上記見開き本原稿長検知手段によって検知された見開き本原稿長から最適定形読み取り用紙サイズを選択する読み取り用紙サイズ選択手段と、
上記見開き本原稿長検知手段によって検知された見開き原稿長と上記読み取り用紙サイズ選択手段によって選択された用紙サイズの、対応する用紙サイズの差を検出する長差検出手段と、
上記見開き本原稿長検知手段、上記読み取り用紙サイズ選択手段、上記長差検出手段の何れかによって得られた結果によって、上記画像読み取り手段の読み取り範囲、及び画像データ処理を制御する制御手段とを有し、
上記本原稿の綴じ部を境にして、初めに走査する側の頁を第１頁、次に走査する側の頁を第２頁とし、
上記見開き本原稿長検知手段によって検知された見開き本原稿長の大きさを「Ａ」、走査方向の読み取り位置の基準を第１頁の読み取り開始側の端部、としたときに、
上記制御手段が、第１頁の走査方向の読み取り範囲を、上記基準から［Ａ／２］までとするように制御し、
上記読み取り用紙サイズ選択手段によって選択された用紙サイズの、対応する用紙サイズ長を「Ｂ」としたときに、
上記制御手段は、
上記第１頁の出力画像データであって、
第１頁の、基準から走査方向の［Ａ／２］までの範囲の画像データを、上記画像読み取り手段によって読み取られた画像データ、
走査方向の［Ａ／２］から［Ｂ／２］までの範囲の画像データを、予め設定された画像データ、
とするように制御する制御手段であることを特徴とする画像読み取り装置。
【請求項２】
上記制御手段は、第２頁の走査方向の読み取り範囲を、［Ａ／２］から［Ａ］までとするように制御する制御手段であることを特徴とする請求項１記載の画像読み取り装置。
【請求項３】
上記読み取り用紙サイズ選択手段によって選択された用紙サイズの、対応する用紙サイズ長を「Ｂ」、
上記長差検出手段によって検出された、見開き本原稿長と、読み取り用紙サイズの、対応する用紙サイズ長の差を「Ｃ」、としたときに、
上記制御手段は、
上記第２頁の出力画像データであって、
第２頁の、走査方向の［Ｂ／２］から［（Ｂ＋Ｃ）／２］までの範囲の画像データを、予め設定された画像データとし、
走査方向の［（Ｂ＋Ｃ）／２］から［Ｂ］までの範囲の画像データを、上記画像読み取り手段によって読み取られた画像データとする、
ように制御する制御手段であることを特徴とする請求項２記載の画像読み取り装置。
【請求項４】
予め設定された画像データは、「白画像データ」または「画像データ無し」であることを特徴とする請求項１，３記載の画像読み取り装置。
【請求項５】
上記制御手段は、上記読み取り用紙サイズ選択手段によって選択された用紙サイズの全範囲の出力画像データとして、上記第１頁，第２頁の画像データを連結して出力するように制御する制御手段であることを特徴とする請求項１，３記載の画像読み取り装置。
【発明の詳細な説明】
【０００１】
【産業上の利用分野】
本発明は、複写機及びファクシミリ等の画像読み取り装置として使用可能な、原稿載置台上に見開かれた載置された本原稿の原稿面を走査して、本原稿上の原稿画像の読み取りを行う画像読み取り装置に関する。
【０００２】
【従来の技術】
従来の画像読み取り装置における綴じ代調整に関わる画像変移（シフト）技術として、特開平２−８１０６４号公報「電子複写機」が知られている。
この装置では、複写原稿を電子写真機の所定面上に置くと、用紙サイズ検出部が原稿と複写用紙のサイズを検出する。次に、複写用紙の綴じ代位置を指定して複写データを入力すると、複写範囲比較部は指定された綴じ代位置が原稿の文面と重なるか否かをチェックし、一方にシフトすればよい場合は複写データシフト部が原稿をシフトし、印刷部が複写すると共に綴じ孔位置を印刷する。シフトによって原稿の文面が用紙外にはみ出る場合は、複写データ縮小部が原稿を縮小してからシフトし、複写と綴じ孔位置の印刷とを行う。
【０００３】
しかしながら、この従来技術だけをもってしては、本原稿を見開き状態で装置を動作させ、頁毎に行う独立頁モードの場合に、走査下流側の頁に対しては画像分離手段がなく有効に動作せず、画像欠けや画像ずれは避けられない。また、複写範囲比較部が必要となり、処理にも時間が掛かり、装置が複雑となると共に高価になってしまう。また、拡大処理の場合には対応できない。
【０００４】
また、従来の画像読み取り装置におけるイメージ情報位置の補正に関わる技術として、特開平３−２６２３７６号公報「入力原稿の位置補正方式」が知られている。
この方式では、スキャナ位置から原稿が読み込まれると入力と同時に原稿の一つのコーナーの座標が検出され、その位置情報が原稿のイメージ情報と共にイメージプロセッサに渡される。イメージプロセッサでは、イメージ情報と同時に受け取った位置情報のコーナー座標を基にして位置計算部にて入力原稿の位置が計算され、正しい位置へ原稿のイメージ情報を移動させるには上下または左右へどれくらい移動させるか否かを計算し計算結果を出力する。位置移動部は、位置計算部からの計算結果に基づいてイメージ情報を原稿画面上で移動させる変換を行う。これにより、イメージ情報の位置が所定の位置に補正される。
【０００５】
しかしながら、この従来技術だけをもってしては、本原稿を見開き状態で装置を動作させ、頁毎に行う独立頁モードの場合に、走査下流側の頁に対しては画像分離手段がなく有効に動作せず、画像欠けや画像ずれは避けられない。また、複写範囲比較部が必要となり、処理にも時間が掛かり、装置が複雑となると共に高価になってしまう。
【０００６】
【発明が解決しようとする課題】
ところで、従来、本原稿を複写もしくは読み取る場合は、
（１）本原稿を見開き状態で装置を動作させ、頁毎に処理する独立モード、
（２）見開かれた２頁分を同時に処理する見開きモード、
（３）見開かれた２頁をそれぞれ表，裏として処理する見開き両面モード、
（４）本原稿（オリジナル）と同じように、頁の表裏順に処理する本原稿両面モード、
などの動作モードがある。
【０００７】
また、本原稿の種類にはいろいろなものがあり、
▲１▼袋綴じ小冊子を綴じ部端部で外側から糊付け、もしくは背表紙を糊付けした本原稿、
▲２▼綴じ部をホッチキス（ワイヤー）止めして、表紙を糊付けした本原稿、
▲３▼その他の本原稿、
などに分類した場合、▲１▼の本原稿は、図１１に示すように、おおよそどの頁を開いても、綴じ部の根元付近まで開きことができ、図中の表紙サイズＡに対して、見開きサイズＡｍが略２倍のサイズ（Ａｍ＝２Ａ）となり、上記のどのモードで複写もしくは読み取りを行っても不具合は生じない。
【０００８】
しかしながら、▲２▼の本原稿では、図１２に示すように、本原稿の見開き具合がホッチキス（ワイヤー）止め位置に規制されて、見開いた１頁の大きさ（図中Ｃ）が表紙サイズ（図中Ａ）よりも小さくなり、見開きサイズＡｍ’も表紙サイズの２倍以下になる（Ａｍ’＝２Ａ）。
従って、この状態でこの本原稿の複写もしくは読み取りを行ったときは、それぞれのモードで以下のような不具合が生じる。
ここでは、左頁端基準とし、その基準から右頁方向に走査する場合を例に取って説明する。なお、図１２の矢印は走査方向を示している。
【０００９】
（１）本原稿を見開き状態で装置を動作させ、頁毎に処理を行う独立頁モードの場合。
等倍最適用紙サイズをＡ×Ｂとした場合、複写装置もしくは読み取り装置は、▲２▼の本原稿画像を走査したときに、図１３に示すように、読み取られた画像データは、右頁の一部分が左頁に、また、右頁の始まりが実際の右頁の途中に、更に、右頁の終わり部分が不必要なデータ（例えば、背景色や無反射空間による黒ベタ、別の原稿、圧板などの原稿押え、等を読み取ってしまったデータ）による画像、として認識されてしまい、読み取り端部を基準として、拡大処理もしくは縮小処理を行うと、図１４に示すように、その処理後の画像も、画像欠けや余白部分ができてしまい、その結果、図１５に示すように、左頁に綴じ部の影が写ってしまったり（本来ならば、従来技術によりイレース処理、枠消し処理などで対応できる筈の綴じ部影が、大幅にその位置がずれるため消去可能範囲を越えてしまい、対応できなくなってしまう）、右頁の画像が走査上流側に（左頁側に）位置ずれを起こしてしまったり、また、この時のずれ量が大きすぎて右頁画像が左頁に食い込んだり、右頁画像が欠けてしまったりする不具合が生じる（図１６）。
そして、右頁の右端のＤ領域（等倍時；Ｄ＝２Ａ−２Ｃ，拡大２００％時；Ｄ’＝２（２Ａ−２Ｃ），縮小５０％時；Ｄ”＝（２Ａ−２Ｃ）／２）には、不必要なデータ（例えば、背景色や無反射空間による黒ベタ、別の原稿、圧板などの原稿押え、等を読み取ってしまったデータ）による画像が現われてしまう、といった様々な不具合が発生する。
【００１０】
（２）見開かれた２頁分を同時に処理する見開きモードの場合。
等倍最適用紙サイズをＡ×Ｂとした場合、複写装置もしくは読み取り装置は、▲２▼の本原稿画像を走査したときに、図１７，図１８，図１９に示すように、用紙中心（図中▽印）と画像中心（図中▲印）とがずれてしまう。更に、走査の終わり部分が不必要なデータ（例えば、背景色や無反射空間による黒ベタ、別の原稿、圧板などの原稿押え、等を読み取ってしまったデータ）による画像、として認識されてしまい、その結果、図２０に示すように、用紙中心（図中▽印）からずれたところに綴じ部影が写ってしまう（本来ならば、従来技術により中央イレース処理などで対応できる筈の綴じ部影が、大幅にその位置がずれるため消去可能範囲を越えてしまい、対応できなくなってしまう）。
また、特開平４−２７３７６７号公報「画像形成装置」によれば、綴じ代消去機能により、任意の副走査方向位置で任意の幅の画像データを消去できるが、これには、それぞれ消去するセンター位置と消去幅を入力する手段と、その操作が必要になることから装置も大きくなり、操作も複雑になることから、通常は簡易的な用紙中心の指定幅を消去する「中央イレース処理」を採用する場合が多い。
また、右頁端影が現われてしまったり（本来ならば、従来技術により中央イレース処理、枠消し処理などで対応できる筈の右頁端影が、大幅にその位置がずれるため消去可能範囲を越えてしまい、対応できなくなってしまう）、更に、見開き頁の画像が走査上流側に（左頁側方向に）位置ずれを起こしてしまったり、用紙の右端のＤ領域（等倍時；Ｄ＝２Ａ−２Ｃ，拡大２００％時；Ｄ’＝２（２Ａ−２Ｃ），縮小５０％時；Ｄ”＝（２Ａ−２Ｃ）／２）には、不必要なデータ（例えば、背景色や無反射空間による黒ベタ、別の原稿、圧板などの原稿押え、等を読み取ってしまったデータ）による画像が現われてしまう、といった様々な不具合が発生する。
【００１１】
（３）見開かれた２頁をそれぞれ表，裏として処理する見開き両面モードの場合。
等倍最適用紙サイズをＡ×Ｂとした場合、複写装置もしくは読み取り装置は、▲２▼の本原稿画像を走査したときに、図１３，図１４に示すように、右頁の一部分が左頁に、また、右頁の始まりが実際の右頁の途中に、更に、右頁の終わり部分が不必要なデータ（例えば、背景色や無反射空間による黒ベタ、別の原稿、圧板などの原稿押え、等を読み取ってしまったデータ）による画像、として認識されてしまい、その結果、図１５に示すように（左頁が表面に、右頁が裏面になる）、左頁の表面画像の右端部付近に綴じ部影が写ってしまったり（本来ならば、従来技術によりイレース処理、枠消し処理などで対応できる筈の綴じ部影が、大幅にその位置がずれるため消去可能範囲を越えてしまい、対応できなくなってしまう）、右頁の裏面画像が走査上流側に（左頁側に）位置ずれを起こしてしまったり、また、この時のずれ量が大きすぎて裏面画像（右頁画像）が表面画像に食い込んだり、裏面画像（右頁画像）が欠けてしまったりする不具合が生じる（図１６）。
そして、右頁画像の裏面の右端のＤ領域（等倍時；Ｄ＝２Ａ−２Ｃ，拡大２００％時；Ｄ’＝２（２Ａ−２Ｃ），縮小５０％時；Ｄ”＝（２Ａ−２Ｃ）／２）には、不必要なデータ（例えば、背景色や無反射空間による黒ベタ、別の原稿、圧板などの原稿押え、等を読み取ってしまったデータ）による画像が現われてしまう、といった様々な不具合が発生する。
【００１２】
（４）本原稿（オリジナル）と同じように、頁の表裏順に処理する本原稿両面モードの場合。
等倍最適用紙サイズをＡ×Ｂとした場合、複写装置もしくは読み取り装置は、▲２▼の本原稿画像を走査したときに、図１３，図１４に示すように、右頁の一部分が左頁に、また、右頁の始まりが実際の右頁の途中に、更に、右頁の終わり部分が不必要なデータ（例えば、背景色や無反射空間による黒ベタ、別の原稿、圧板などの原稿押え、等を読み取ってしまったデータ）による画像、として認識されてしまい、その結果、図１５に示すように（右頁が表面に、次の左頁は裏面になる）、右頁の表面画像が走査上流側に（左端部側に）に位置ずれを起こしてしまったり、また、この時のずれ量が大きすぎて、表面画像（次の右頁画像）が裏面画像（左頁画像）に食い込んだり、表面画像（右頁画像）が欠けてしまったりする不具合が生じる（図１６の右頁が表面に、次の左頁は裏面になる）。
そして、右頁画像の表面の右端のＤ領域（等倍時；Ｄ＝２Ａ−２Ｃ，拡大２００％時；Ｄ’＝２（２Ａ−２Ｃ），縮小５０％時；Ｄ”＝（２Ａ−２Ｃ）／２）には、不必要なデータ（例えば、背景色や無反射空間による黒ベタ、別の原稿、圧板などの原稿押え、等を読み取ってしまったデータ）による画像が現われてしまう、また、左頁の裏面画像の右端部付近に綴じ部影が写ってしまう（本来ならば、従来技術によりイレース処理、枠消し処理などで対応できる筈の綴じ部影が、大幅にその位置がずれるため消去可能範囲を越えてしまい、対応できなくなってしまう）、といった様々な不具合が発生する。
【００１３】
この発明は、上述の点に鑑みてなされたものであって、その目的は、綴じ部をホッチキス（ワイヤー）止めして、表紙を糊付けした本原稿、すなわち、見開いて載置したときの見開きサイズが表紙サイズの２倍以下になる本原稿に対しても、綴じ部の黒スジ、画像ずれ、画像の食い込み、画像欠け、不必要データ画像のない、見た目にも美しい複写画像もしくは読み取り画像を簡単に得ることが可能な、小型で安価な画像読み取り装置を提供することにある。
【００１４】
【課題を解決するための手段】
この発明は、上述の課題を解決するために、請求項１では、本原稿を載置する原稿載置台と、上記原稿載置台上に見開いて載置された本原稿の原稿面を見開き長手方向に露光走査することによって、この見開き本原稿上の原稿画像の読み取りを行なう画像読み取り手段と、上記画像読み取り手段によって読み取られた画像データを記憶する画像データ記憶手段と、上記原稿載置台上に見開いて載置された本原稿の、見開き長手方向の全長を検知する見開き本原稿長検知手段と、上記見開き本原稿長検知手段によって検知された見開き本原稿長から最適定形読み取り用紙サイズを選択する読み取り用紙サイズ選択手段と、上記見開き本原稿長検知手段によって検知された見開き原稿長と上記読み取り用紙サイズ選択手段によって選択された用紙サイズの、対応する用紙サイズの差を検出する長差検出手段と、上記見開き本原稿長検知手段、上記読み取り用紙サイズ選択手段、上記長差検出手段の何れかによって得られた結果によって、上記画像読み取り手段の読み取り範囲、及び画像データ処理を制御する制御手段とを有し、上記本原稿の綴じ部を境にして、初めに走査する側の頁を第１頁、次に走査する側の頁を第２頁とし、上記見開き本原稿長検知手段によって検知された見開き本原稿長の大きさを「Ａ」、走査方向の読み取り位置の基準を第１頁の読み取り開始側の端部、としたときに、上記制御手段が、第１頁の走査方向の読み取り範囲を、上記基準から［Ａ／２］までとするように制御し、上記読み取り用紙サイズ選択手段によって選択された用紙サイズの、対応する用紙サイズ長を「Ｂ」としたときに、上記制御手段は、上記第１頁の出力画像データであって、第１頁の、基準から走査方向の［Ａ／２］までの範囲の画像データを、上記画像読み取り手段によって読み取られた画像データ、走査方向の［Ａ／２］から［Ｂ／２］までの範囲の画像データを、予め設定された画像データ、とするように制御する制御手段であることを特徴とする。
【００１５】
請求項２では、上記制御手段は、第２頁の走査方向の読み取り範囲を、［Ａ／２］から［Ａ］までとするように制御する制御手段である構成とする。
【００１６】
請求項３では、上記読み取り用紙サイズ選択手段によって選択された用紙サイズの、対応する用紙サイズ長を「Ｂ」、上記長差検出手段によって検出された、見開き本原稿長と、読み取り用紙サイズの、対応する用紙サイズ長の差を「Ｃ」、としたときに、上記制御手段は、上記第２頁の出力画像データであって、第２頁の、走査方向の［Ｂ／２］から［（Ｂ＋Ｃ）／２］までの範囲の画像データを、予め設定された画像データとし、走査方向の［（Ｂ＋Ｃ）／２］から［Ｂ］までの範囲の画像データを、上記画像読み取り手段によって読み取られた画像データとする、ように制御する構成とする。
【００１７】
請求項４では、予め設定された画像データは、「白画像データ」または「画像データ無し」である構成とする。
【００１８】
請求項５では、上記制御手段は、上記読み取り用紙サイズ選択手段によって選択された用紙サイズの全範囲の出力画像データとして、上記第１頁，第２頁の画像データを連結して出力するように制御する制御手段である構成とする。
【００２２】
【作用】
「見開き本原稿長検知」
本原稿端部検知により、
▲１▼基準位置アドレス：Ｘ１
▲２▼終了位置アドレス：Ｘ２
が検知されると、その差分計算から見開き本原稿長［Ａ］が、
［Ａ］＝Ｘ２−Ｘ１  のように検知される。
【００２３】
「読み取り用紙サイズ、及び、長差検出」
上記のように見開き本原稿長［Ａ］が検知されると、予めインプットされている原稿サイズデータとから、読み取り用紙サイズが選択される。
ここで、例えば、［Ａ］＝４１０ｍｍの時は、その本原稿の読み取り用紙サイズは、見開きサイズでＡ３（独立頁でＡ４）であると判断され、Ａ３用紙の対応する辺の長さから、［Ｂ］＝４２０ｍｍと検出され、更に、読み取り用紙サイズの対応する用紙の長さ［Ｂ］と見開き本原稿長［Ａ］との差分計算から、長差［Ｃ］が、［Ｃ］＝４２０−４１０＝１０ｍｍと検出される。
［Ａ／２］＝４１０／２＝２０５ｍｍ
［Ｂ／２］＝４２０／２＝２１０ｍｍ
［（Ｂ＋Ｃ）／２］＝（４２０＋１０）／２＝２１５ｍｍ
なども次々と算出される。
【００２４】
また、［Ａ］＝３５０ｍｍの時は、その本原稿の読み取り用紙サイズは、見開きサイズでＢ４（独立頁でＢ５）であると判断され、Ｂ４用紙の対応する辺の長さから、［Ｂ］＝３６４ｍｍと検出され、更に、読み取り用紙サイズの対応する用紙の長さ［Ｂ］と見開き本原稿長［Ａ］との差分計算から、長差［Ｃ］が、［Ｃ］＝３６４−３５０＝１４ｍｍと検出される。
［Ａ／２］＝３５０／２＝１７５ｍｍ
［Ｂ／２］＝３６４／２＝１８２ｍｍ
［（Ｂ＋Ｃ）／２］＝（３６４＋１４）／２＝１８９ｍｍ
なども次々と算出される。
これは、プリンター出力の時の転写紙サイズ選択にも適用される。
【００２５】
「読み取り画像データのフレームメモリへの格納」
（１）第１回目の読み取りでは、アドレス：Ｘ１しか検出できないので、読み取り画像データは、アドレス：Ｘ１（基準：０とする）から読み取り、メモリ・アドレス［０］から順次格納して行き、アドレス：Ｘ２（基準：０に対してＡ）まで読み取り走査、格納を行う。この時フレームメモリ内の画像データは、メモリ・アドレス［Ａ］まで格納されたことになる（図２１）。
この時初めてアドレス：Ｘ２が検出されるので、ここで、上記の「見開き本原稿長検知」、「読み取り用紙サイズ、及び、長差検出」が行われる。
【００２６】
その後、この１回目の読み取り走査分の格納画像データの画像処理を行う。
メモリ・アドレス［Ａ／２］から［Ａ］までの画像データを、メモリ・アドレス［（Ｂ＋Ｃ）／２］から［Ｂ］までの範囲に移動させる。
更に、メモリ・アドレス［Ａ／２］から［（Ｂ＋Ｃ）／２］までの範囲の画像データを「０」（「０」は、画像データ「１」に対して「白画像データ」であることを意味している）に書き換える処理を行う（図２２）。
または、この時、「画像データ無し」として、その部分のデータを圧縮して格納してもよい。
【００２７】
プリンターなどに出力するときは、
＜独立出力の場合＞
第１頁は、フレームメモリのメモリ・アドレス［０］から［Ｂ／２］までを出力する。
第２頁は、フレームメモリのメモリ・アドレス［Ｂ／２］から［Ｂ］までを出力する。
＜見開き頁出力の場合＞
フレームメモリのメモリ・アドレス［０］から［Ｂ］までを出力する。
【００２８】
（２）第２回目以降の読み取りでは、既にアドレスＸ１，Ｘ２は検出されていて、各種のパラメタも計算されているので、画像処理時間短縮のため、以下のように読み取り画像データをフレームメモリに格納する。
＜第１頁の読み取り＞
読み取り画像データは、アドレス：Ｘ１（基準：０とする）から読み取り、メモリ・アドレス［０］から順次格納して行き、（走査）アドレス：Ｘ３まで読み取り走査し、格納を行う。
＜第２頁の読み取り＞
次に、メモリ・アドレスのポインタを［（Ｂ＋Ｃ）／２］に移動させ、（走査）アドレス：Ｘ３から続けて読み取り、メモリ・アドレス［（Ｂ＋Ｃ）／２］から順次格納して行き、（走査）アドレス：Ｘ２まで読み取り走査し、格納を行う。
この時、フレームメモリ内の画像データは、メモリ・アドレス［Ｂ］まで格納されたことになる。
その後、この２回目以降の読み取り走査分の格納画像データの画像処理を行う。
メモリ・アドレス［Ａ／２］から［（Ｂ＋Ｃ）／２］までの範囲の画像データを「０」（「０」は、画像データ「１」に対して「白画像データ」であることを意味している）に書き換える処理を行う（図２５と同じ状態になる）。
または、この時、「画像データ無し」として、その部分のデータを圧縮して格納してもよい。
【００２９】
プリンターなどに出力するときは、
＜独立出力の場合＞
第１頁は、フレームメモリのメモリ・アドレス［０］から［Ｂ／２］までを出力する。
第２頁は、フレームメモリのメモリ・アドレス［Ｂ／２］から［Ｂ］までを出力する。
＜見開き頁出力の場合＞
フレームメモリのメモリ・アドレス［０］から［Ｂ］までを出力する。
【００３０】
＜拡大縮小の画像処理＞
第１回目の読み取り走査分の格納画像データでは、図２２に示した移動処理を施した後、
また、第２回目以降の読み取り走査分の格納画像データでは、図２５に示した画像データ格納処理を施した後、以下の処理を行う。
【００３１】
＜＜拡大率２００％の時＞＞
図２３に示すように、左頁は、メモリ・アドレス［０］から［Ａ／２］までの画像データを予め設定された拡大率２００％で、メモリ・アドレス［０］から順次拡大処理をして、画像処理用メモリ範囲のメモリ・アドレス［Ｅ］から順次格納していく。
また、右頁は、メモリ・アドレス［（Ｂ＋Ｃ）／２］から［Ｂ］までの画像データを予め設定された拡大率２００％で、メモリ・アドレス［Ｂ］から逆方向（メモリ・アドレス［（Ｂ＋Ｃ）／２］に向かう方向）に順次拡大処理をして、画像処理用メモリ範囲のメモリ・アドレス［Ｅ＋２Ｂ］から順次、逆方向（メモリ・アドレス［Ｅ＋Ｂ］に向かう方向）に格納していく。
更に、メモリ・アドレス［Ｅ＋Ａ］から［Ｅ＋Ａ＋２Ｃ］までの範囲の画像データを「０」（「０」は画像データ「１」に対して「白画像データ」であることを意味している。）に書き換える処理を行う。または、この時、「画像データ無し」として、その部分のデータを圧縮して格納してもよい。
【００３２】
プリンター等に出力するときは、
＜独立出力の場合＞
第１頁目は、画像処理用メモリ範囲のメモリ・アドレス［Ｅ］から［Ｅ＋Ｂ］までを出力する。
第２頁目は、画像処理用メモリ範囲のメモリ・アドレス［Ｅ＋Ｂ］から［Ｅ＋２Ｂ］までを出力する。
＜見開き頁出力の場合＞
画像処理用メモリ範囲のメモリ・アドレス［Ｅ］から［Ｅ＋２Ｂ］までを出力する。
【００３３】
＜＜縮小率５０％の時＞＞
図２４に示すように、左頁は、メモリ・アドレス［０］から［Ａ／２］までの画像データを予め設定された縮小率５０％で、メモリ・アドレス［０］から順次縮小処理をして、画像処理用メモリ範囲のメモリ・アドレス［Ｅ］から順次格納していく。
また、右頁は、メモリ・アドレス［（Ｂ＋Ｃ）／２］から［Ｂ］までの画像データを予め設定された縮小率５０％で、メモリ・アドレス［Ｂ］から逆方向（メモリ・アドレス［（Ｂ＋Ｃ）／２］に向かう方向）に順次縮小処理をして、画像処理用メモリ範囲のメモリ・アドレス［Ｅ＋（Ｂ／２）］から順次、逆方向（メモリ・アドレス［Ｅ＋（Ｂ／４）］に向かう方向）に格納していく。
更に、メモリ・アドレス［Ｅ＋（Ａ／４）］から［Ｅ＋（Ａ／４）＋（Ｃ／２）］までの範囲の画像データを「０」（「０」は画像データ「１」に対して「白画像データ」であることを意味している。）に書き換える処理を行う。または、この時、「画像データ無し」として、その部分のデータを圧縮して格納してもよい。
【００３４】
プリンター等に出力するときは、
＜独立出力の場合＞
第１頁目は、画像処理用メモリ範囲のメモリ・アドレス［Ｅ］から［Ｅ＋（Ｂ／４）］までを出力する。
第２頁目は、画像処理用メモリ範囲のメモリ・アドレス［Ｅ＋（Ｂ／４）］から［Ｅ＋（Ｂ／２）］までを出力する。
＜見開き頁出力の場合＞
画像処理用メモリ範囲のメモリ・アドレス［Ｅ］から［Ｅ＋（Ｂ／２）］までを出力する。
【００３５】
左頁画像としては「第１頁」が、右頁画像としては「第２頁」が認識され、プリンターや他のインターフェイスを通して画像データを出力する場合も、左頁画像として「第１頁」が、右頁画像として「第２頁」がフレームメモリから読み出されて出力される。
【００３６】
【実施例】
以下、本発明の実施例を図に基づいて詳細に説明する。
但し、本明細書の記述から明らかに想起し得る範囲の構成・作用等については、煩雑化を避ける上から、その説明を省略、もしくは簡略化する。
本発明は、本原稿の画像読み取り機能と頁めくり機能とをそれぞれ独立させて構成することもできるが、ここでは、説明の便宜上、上記の頁めくり機能および画像読み取り機能との両機能を１つのユニットに組み込んだ装置をその実施例とした。また、本実施例は、原理的には先に本出願人により提案されたブック原稿のページめくり読み取り装置と略同様な機能を有している。
【００３７】
先ず、スキャナユニット３０の構成について説明する。
図１は、ＴＰＳ（Ｔｕｒｎ  ｔｈｅ  Ｐａｇｅ  Ｓｃａｎｎｅｒ；頁めくり読み取り装置）の全体構成図を示す。このＴＰＳは、その装置本体の上部にコンタクトガラス２０６が配置されており、このコンタクトガラス２０６上に、シート物や厚手の本原稿などの原稿を図示しない圧板によってセットし、後述する光路切り換えを行った走査ユニット２００でこの原稿を走査することにより、このコンタクトガラス２０６上の原稿像を読み取ることができる。このＴＰＳの装置本体の上半分はスキャナユニット３０になっており、走査ユニット２００は、このスキャナユニット３０の内部を図１において左右方向に走行して原稿の走査を行う。
【００３８】
図２６に見開き本原稿の上部を走査する頁めくり・読み取りユニット２００を示す。
本原稿の左頁部分は、その頁めくり動作によって増加して、表紙位置を基準として一般に本原稿端部は上方且つ右方向に移動していく。一方、本原稿の右頁部分は、頁めくり動作によって減少して、表紙位置を基準として一般に本原稿端部は下方且つ右方向に移動していく。このような、頁めくりの繰り返し枚数に対する本原稿左端部の遷移例を図２乃至図４に示す。図２乃至図４では、載置された本原稿の初期の見開き本原稿左端部の位置を“０”とし、その頁めくり動作により増加する本原稿左端部の右方向への移動量を変位量で表わしている。また、本原稿左端部の右方向への変位量をプラスとしてこれをミリ単位で表示している。
【００３９】
図２は本原稿の厚み２０ｍｍ，総頁数７５０頁の場合、図３は本原稿の厚み１２ｍｍ，総頁数３００頁の場合、図４は本原稿の厚み９ｍｍ，総頁数１８０頁の場合を示し、これらの本原稿のサイズは全て見開きＢ４サイズである。図２乃至図４から明らかなように、これらの本原稿左端部はその頁めくりによって右方向に変位するが、この変位により中央綴じ部の形状が変わり、本原稿左端部の変位量は必ずしも単調増加とはならない。また、本原稿はその頁めくりにより中央綴じ部が左右方向にスライドするため、図３及び図４に示すように、その頁めくり過程で変位量が逆に減少する地点も生じ、図４に示す薄手の本原稿のように、左方向（マイナス方向）へも変位する場合もある。更にこれらの変位量は、本原稿のサイズや厚さ、及び紙質等によっても左右される。
【００４０】
本実施例のように本原稿の表紙を加圧原稿台上に固定した場合、本原稿の背表紙のばたつきによる急激な変化は抑えられるが、見開き本原稿の最上位頁位置は頁めくりにより変化する。これは読み取り位置及び頁めくり位置のズレになる。
【００４１】
本原稿の上方向の変位は、頁めくり・読み取りユニットの走査毎に加圧原稿台の規制を解除し、バネ性を持って頁めくり・読み取りユニットに押し当てており、最上位頁が均一平面になるように自動的に補正される。本原稿端部の左右方向への移動は、本発明により画像先端位置と後端位置、頁めくり位置を頁めくりの繰返しによって変更していくことで補正する。
【００４２】
従来例では、コントローラは、入力または読み取り画像により検出された本原稿のサイズにより本原稿のエッジ部の位置を検出する。
例えば、見開きサイズＡ３の場合の、本原稿のエッジ部は、読み取りセンサ位置で中央セット位置より約２１０ｍｍ、頁めくり・読み取りユニット２００の第２ホームポジションから約３０ｍｍの位置となる。１回目のスキャンでの開始一アドレスＸ１を検知する。２回目以降は後述する。
コントローラは、ホームポジション位置より操作を開始し、本原稿の端部より数ミリ手前から読み取り画像を画像メモリに蓄え、上記本原稿の端部を副走査方向の有効画像領域の開始位置として、画像データの出力時に指示する。
【００４３】
次に、本原稿の副走査方向右端部検知について説明する。
図５に、初回の頁めくり以前の画像読み取り方式での読み取りセンサ１０１による見開き本原稿の右端部検知のデータを示す。検出された本原稿のエッジ部は、見開きサイズＡ３の場合、読み取りセンサ１０１の位置で中央セット位置よりおよそ２１０ｍｍの位置である。
本原稿の副走査方向端部の検出は、読み取りセンサ１０１の特定画素による読み取り情報の副走査方向への変化により行う。主走査方向の特定画素は、本原稿載置基準が手前側で最小原稿サイズに対応するため、装置手前のＣＣＤ基準より６４ｍｍの１０２４画素目を、図６に示すカウンタ４０１とデータラッチ回路４０２により、主走査ライン毎にサンプリングする。その読み取り８ビットデータの上位４ビットデータをデジタルコンパレータ回路４０３により検出のしきい値と比較する。このしきい値はＩＰＵ１０３内のマイクロコンピュータにより設定される。
デジタルコンパレータ回路４０３からのデータはＤフリップフロップ回路４０４，４０５で判断データを遅延し、アンド回路４０６により読み取りセンサ１０１の特定画素のデータがしきい値より大きい値が副走査方向に３画素続いた場合に検知信号を発生し、コントローラに知らせる。
【００４４】
端部検出のための読み取りは、走査右端部の黒色の本原稿台１または台の外枠部より左方向へ走査ユニット２００の走査を開始し、コントローラは、検出開始のリセット信号ＲＥＳＥＴを解除する。そして、本原稿の表紙または紙のエッジによる主走査方向に連続する縞模様部分が読み取りセンサ１０１により検出され、本原稿最上位頁端部より右頁上の画像情報がランダムに検出される。
【００４５】
ほとんどの本の地肌は白色で、一般に本原稿端部から十数ミリの枠部は文字や画像はない。そのため、そのしきい値以上に白い均一色が発生した時点で頁の余白部と判定して検知する。この判定には読み取りセンサ１０１の主走査方向の複数の画素のデータを用いれば精度が上がる。また、その判定の画素数を本例の連続３画素より増やしたり、システムや適応原稿に合わせて、その比較のしきい値を変えても効果的である。
【００４６】
以上の結果、図５の本原稿端部の読み取り例の場合は、本原稿端部はホームポジションから２００ｍｍの地点と検知される。
【００４７】
図７に示すように、見開き本原稿ＢＯは、本原稿台１上に綴じ部左端を合わせて、中央手前側にセットして固定する。
【００４８】
次に、頁センサによる本原稿副走査方向後端部検知について説明する。
初回の頁めくり以降の頁端部検出は、頁めくり搬送路の頁センサ４１５（透過型）を用いて、最上位頁の端部位置を正確かつ安定に算出する。本装置は原稿の表紙を本原稿台１に固定しているため本原稿の走査時のズレは少ない。また、本原稿は１頁の頁めくりによる位置の変位は極めて少ない傾向を持つ。
【００４９】
本装置は頁の検出に、図８に示すように、透過型の頁センサ４１５を用いている。透過型の頁センサ４１５は上側の頁搬送ガイド４１６の上に発光素子としてＬＥＤ（発光ダイオード）４１５ａ、下側の頁搬送ガイド４１７の下に受光素子としてＰＤ（フォトダイオード）４１５ｂを備える構成となっている。頁搬送路４１８を構成する頁搬送ガイド４１６，４１７に穴部４１６ａ，４１７ａを設け、発光ダイオード４１５ａ及びフォトダイオード４１５ｂを、頁搬送部の検出位置の鉛直方向に対して斜めに配置し、本原稿の頁収納により発生した紙粉は頁センサ４１５のめくり頁検知位置には溜まらず、下方に落ちる構造となっている。頁センサ４１５は、頁搬送ガイド４１６，４１７を通して搬送される本原稿のめくり頁を１頁分離後に検知し、原稿を選ばず、検知精度もばらつきで１ｍｍ以内と極めて高い。また、頁めくり時の未収納、未排出の頁のジャムを検知するセンサも、この頁センサ４１５を共用している。
【００５０】
図２６に示す走査ユニット（頁めくり・読み取りユニット）２００は、見開き本原稿ＢＯの読み取り後、左方向に走査し本原稿ＢＯの頁めくりを行う。本原稿の頁収納の頁軌跡はほぼ一定で、メカ的に決定される。本原稿ＢＯの最上位の右頁端部をめくりベルト２０８に吸着し、走査ユニット２００の走査を一旦停止させるとともに、めくりベルト２０８を上昇させ、めくり頁を頁搬送路方向へと導く。走査ユニット２００をさらに左方向に走査し、めくり頁を頁搬送路に収納して頁先端を走査ユニット２００の外に出す。
【００５１】
頁収納の軌跡は、上昇しためくりベルト２００に沿って常にほぼ一定で、そのメカレイアウトにより決定される。頁収納センサ４１５は、めくり頁を頁搬送路からなるめくり頁収納部の入り口近傍に配置され、本原稿のめくり頁を検知する。
この頁収納センサ４１５で、頁収納開始検知のタイミング、すなわち、めくり頁収納部の本原稿のめくり頁の収納検知位置での走査ユニット２００の位置より、めくり頁が本原稿上にあった時のめくり頁の右端部位置を算出する。従って、本原稿の１頁分離後の頁端部を頁センサ４１５で検出することにより、見開き本原稿のめくり開始方向（本装置では右）の頁端部位置が正確かつ確実に検出され、本原稿の画像有効範囲の後端、および本原稿は１頁の頁めくりによる位置の変位が極めて少ないため、次回の頁めくり位置を算出して補正する。
【００５２】
次に、頁センサによる本原稿副走査方向先端部検知について説明する。
頁収納の終了後、走査ユニット２００をさらに左方向に走査すると、見開き本原稿は中央綴じ部で頁が拘束されるため、綴じ部で引っ張られながらめくり頁は頁搬送路からＵ字型の軌跡を描いて排出される。この頁排出軌跡も頁搬送路と押さえローラ２８１ａに沿って常にほぼ一定となる。めくり頁収納部の本原稿のめくり頁の排出検知タイミング、すなわち、めくり頁収納部の本原稿のめくり頁の排出検知位置での走査ユニット２００の位置より、めくり頁が本原稿左上に乗るべき左端部位置を算出する。従って、１頁分離後の頁端部を検出することにより、見開き本原稿の読み取り開始方向（本装置では左）の頁端部位置（本発明では、第１頁の端部すなわち基準位置）が正確かつ確実に検出され、本原稿の画像有効範囲の先端が判り、次回の読み取りレジストに用いる。
【００５３】
この算出された本原稿の有効画像範囲の開始位置アドレス（基準位置アドレス）Ｘ１と終了位置アドレスＸ２より、その中央位置が本原稿の見開き頁の綴じ部となるので、その中央綴じ部アドレスＸ３は以下のように算出する。
Ｘ３＝（Ｘ１＋Ｘ２）／２
これにより、一度に読み取った見開き本原稿画像の複写の際の頁振分の基準位置が得られる。また、見開き本原稿の中央綴じ部画像は，陰や歪みが起こり易いため、その位置の画像を確実に消去する。
【００５４】
以上のように、見開き本原稿は、その頁めくりの繰り返しによって最上位の見開き頁位置が変位し、１頁の頁めくりによるその変位は極めて小さい。また、１０頁のめくりの繰り返しにおける位置ズレは１ｍｍ以下であるため、画像位置（複写レジスト）のズレは少ない。従って、本原稿頁吸着位置の算出は、頁めくり走査の複数回の繰り返し、例えば１０頁のめくり動作に対し１回行い、その位置データを更新することにより、読み取り装置の本原稿頁端部の算出処理と時間が低減される。
【００５５】
次に、ＴＰＳ基本動作を詳細に説明する。
（１）本原稿読み取りモード
（ａ）ＢＯＯＫキーの押下により、本原稿読み取りモードを指定する。
（ｂ）プリントキーの押下により、原稿台１を上昇させ、本原稿をキャリッジ２００に付き当てて固定する。
（ｃ）サブ第１ミラー２２２を解除し、下側蛍光灯２０１，２０２を点灯する。
（ｄ）キャリッジ２００を左方向に走査し、左ホームポジションに到達後、シェーディング補正、ＡＧＣを行う。
（ｅ）キャリッジ２００を右方向に走査し、画像を読み取り、本原稿端部の濃度差より本原稿左端部を検出する見開き画像を読み取り、画像処理したデータをフレームメモリ１０４に格納する。
（ｆ）キャリッジ２００を右方向に走査しながら画像を読み取り、原稿台１と本原稿頁の濃度差より本原稿右端部を検知する。
（ｇ）キャリッジ２００を最も右方向まで走査した後、めくりベルト２０８の帯電を開始し、左方向に走査する。
（ｈ）検出した本原稿右端部位置にめくりベルト２０８が達するとキャリッジ２００を一旦停止し、めくりベルト２００を上昇させる。一定時間後にキャリッジ２００を左方向に走査する。
（ｉ）本原稿の主走査方向範囲を検出し、上下方向の自動イレース位置を算出する。検出後、下側蛍光灯２０１，２０２を消灯する。
（ｊ）頁吸着上昇から一定時間後にキャリッジ２００を左方向に走査する。
（ｋ）めくり頁搬送路の頁センサで収納した頁を検知し、その検知開始位置より頁右端部位置を正確に算出する。また、不めくりの検知を行う。
（ｌ）キャリッジ２００が中央位置に達した地点で左右の本原稿台１の上下、右の本原稿台１の左右の固定を一旦解除し、本の見開き形状を決定する。
（ｍ）めくりベルト２０８が本原稿中央地点に達するとめくりベルト２０８の帯電を停止する。
（ｎ）キャリッジ２００を左方向に走査して、めくり頁搬送路の頁センサで収納した頁の排出を検知し、その検知開始位置より頁左端部の位置を正確に算出する。また、算出された頁左右端部位置より、見開き頁の中央部位置、見開き頁の長さを算出する。
（ｏ）算出終了後、上記検出位置と出力形態、イレース情報により、フレームメモリ１０４のアドレスを指定してプリンタからの同期信号によりデータを読み出し、転送する。
（ｐ）キャリッジ２００が左ホームポジションに到達後、下側蛍光灯２０１，２０２を点灯し、シェイディング補正、ＡＧＣを行う。
（ｑ）キャリッジ２００を右方向に走査し、見開き画像を読み取り、画像処理したデータをフレームメモリ１０４に格納する。
（ｒ）本原稿右端までを読み取り、下側蛍光灯２０１，２０２を消灯し、画像処理したデータをフレームメモリ１０４に格納終了した直後に、上記検出位置と出力形態、イレース情報により、フレームメモリ１０４のアドレスを指定してプリンタからの同期信号によりデータを読み出し、転送する。
（ｓ）以下、連続動作中、（ｆ）、（ｈ）、（ｊ）から（ｎ）の頁めくり、（ｐ）から（ｒ）の読み取りを繰り返す。（２回目以降は、（ｇ）、（ｉ）の端部の画像検出、及び（ｏ）頁めくり終了後のプリント出力は実施しない。）
（ｔ）連続動作の終了は、（ｐ）のキャリッジ２００が左ホームポジションに到達後、キャリッジ２００を右方向に走査し、中央ホームポジションで停止させる。
【００５６】
次に、本システムのデータフローについて説明する。
図９に、本・シート原稿読み取り装置ＴＰＳ（Ｔｕｒｎ  ｔｈｅ  Ｐａｇｅ  Ｓｃａｎｎｅｒ）の原稿読み取り画像を電子写真方式のプリンタに複写出力する装置のデータ処理ブロックを示す。
【００５７】
本システムは、ＴＰＳの画像読み取り部と画像データ処理部、画像形成部に大きく分けられる。ＴＰＳの走査キャリッジ右端部に配置した画像読み取り板は、ＣＣＤ（電荷結像素子）１０１を備え、ＶＰＵ（Ｖｉｄｅｏ  Ｐｒｏｃｅｓｓｉｎｇ  Ｕｎｉｔ）１０２でＩＰＵからの基準信号に基づきＣＣＤ１０１のアナログデータ出力信号の補正からデジタル変換までを行う。
【００５８】
ＶＰＵ１０２は、クロック及び主走査方向のゲート信号に同期した各ドット８ビットの読み取り画像データを約７．５ＭＨｚの速度で画像処理装置ＩＰＵ（Ｉｍａｇｅ  Ｐｒｏｃｅｓｓｎｉｇ  Ｕｎｉｔ）１０３に出力し、ＩＰＵ１０３で変倍等の加工処理や電子写真の高画質処理を行う。ＩＰＵ１０３の最終処理ではγ補正を含む階調処理を行い、書き込みに適した各ドット４ビットのビデオデータに変換する。その処理データをフレームメモリ１０４に蓄積する。
【００５９】
ＴＰＳでは、本原稿の読み取り走査速度９０ｍｍ／ｓｅｃ．、シート原稿の読み取り走査速度９０ｍｍ／ｓｅｃ．、作像速度１８０ｍｍ／ｓｅｃ．と、読み取り走査速度と作像速度とに差があり、速度バッファ用にＡ３サイズ１頁分のフレームメモリ１０４と、画像処理用メモリ１０４’を用いている（図９）。また、本原稿に接触して読み取り走査するため、リピートコピー時はフレームメモリより複数回データを読み出して出力すればよく、原稿保護に対してフレームメモリは有効である。さらに、左右頁を独立にプリントする頁連写では、１回の走査読み取りでフレームメモリ１０４を用いて画像を分割して出力できるので、書き込みとの同期走査や、再度の助走がいらない。ＩＰＵ１０３の速度対応性により各ドット４ビット構成のフレームメモリ１０４をＩＰＵ処理後に配置する。画像処理後の書き込みデータをメモリすることにより、各ドット８ビットの読み取り画像データに対してフレームメモリ１０４のメモリ容量を半分にする。
【００６０】
ＴＰＳのフレームメモリ容量は４００ＤＰＩの画像データでＡ３サイズ１頁分の１２８Ｍビットであり、ＤＲＡＭによって構成される。フレームメモリ１０４への画像データ入力は２ドット分をパラレルに行い、約３．８ＭＨｚの速度で順次入力する。一方、フレームメモリ１０４からの画像データ出力は、同じく２ドット分をパラレルに行い、約７．５ＭＨｚの速度でＩＰＵ１０３から送られるクロック及び主走査、副走査方向のゲート信号に同期させ、メイン制御板１０７に順次に出力する。
【００６１】
メイン制御板１０７では、フレームメモリ１０４によりプリンタの画像形成速度に高速出力された画像データを約１５ＭＨｚのシリアルデータに結合し、ＦＩＦＯ（Ｆｉｒｓｔ  Ｉｎ  Ｆｉｒｓｔ  Ｏｕｔ）を用いて更に主走査方向に高速化し、約１８ＭＨｚの書き込みクロックに同期させる。その各ドット４ビットのデータを発光時間データにパルス幅変調し、ＬＤ（Ｌａｓｅｒ  Ｄｉｏｄｅ）コントローラにＰＷＭデータで書き込みクロックに同期させ送信する。ＬＤコントローラはＬＤドライバを備え、ＬＤ１０５を発光させて感光体を露光走査して作像する。
【００６２】
ＩＰＵ１０３は読み取りキャリッジ２００の走査制御も行い、シート原稿読み取り時及び本原稿読み取り時は読み取りキャリッジを走査速度９０ｍｍ／ｓｅｃ．で等速走査し、７１〜１４１％までのズームを含む変倍時はその１．４１〜０．７１倍の線速で読み取り走査する。また、キャリッジ２００を走査開始位置に戻すリターン時、及び本原稿の頁めくり時は１２０ｍｍ／ｓｅｃ．の速度でスキャナのステッピングモータを駆動する。
メイン制御板１０７は、作像に係わるセンサ類の入力、及びモータ、ソレノイド、クラッチ等の出力により、画像形成のシーケンス制御を行う。
【００６３】
次に、本システムにおける画像処理について説明する。
先ず、画像読み取り信号処理を説明する。
ＣＣＤ１０１は、約５０００画素、４００ＤＰＩの読み取りが可能で、原稿の主走査方向１ライン分の反射光を同時に読み取る。ＣＣＤで蓄積された光データを電気信号に変換し、クランプ等の波形修正、増幅、Ａ／Ｄ変換を行い、８ビットのデジタル信号として、ＩＰＵ（画像処理装置）１０３へ出力する。ＣＣＤのアナログデータ出力は、高速転送のためＥＶＥＮ，ＯＤＤの２系統に分かれて出力し、アナログスイッチで構成されるスイッチングＩＣでシリアルのアナログ信号に合成する。合成後の１画素の画像転送速度は、本原稿読み取りモード時では約７．５ＭＨｚで、これに同期してＡ／Ｄコンバータで８ビット２５６階調のデジタル信号に変換する。一方、可変増幅器では露光用蛍光灯の光量変動を補正するため、基準白板の読み取りデータによりその増幅度を適正値にするよう調節する。
【００６４】
ＴＰＳにおける読み取りスキャナのデータ処理を図１０に示す。
図１０において、ＣＣＤから読み出される主走査方向に連続するアナログデータは、クランプにより波形の基底レベルの調整を行い、画素クロックに同期してデータのサンプルホールドを行う。次に、読み取り露光光量やそのデータレベルに合わせてデータの増幅率を可変するＡＧＣ（Ａｕｔｏ  Ｇａｉｎ  Ｃｏｎｔｒｏｌ）処理を行う。そして、Ａ／Ｄ変換器によりアナログデータを８ビットのデジタルデータに変換する。
ＣＣＤで読み取られる原稿反射濃度に対してリニアな読み取りデータは、視感度に合わせて効率よく階調を扱うように対数変換を行う。対数変換は入出力８ビット／ドットのＬＵＴ（ＬＯＯＫ  ＵＰ  ＴＡＢＬＥ）で行う。
【００６５】
「画像処理」
原稿濃度を示す１画素毎のデジタル信号は、ＩＰＵ１０３へ入力され、画像処理される。ＩＰＵ１０３は、複数のＬＳＩで構成され、画像加工処理の他、高画質処理の制御を行っている。その主なものと機能を以下に示す。
１．シェーディング補正
蛍光灯の直線光源を用い、また、レンズの集光のため、ＣＣＤ中央部で光量が最大となり、端部では光量が低下してしまう。また、ＣＣＤには、素子個々の感度バラツキがある。その両方を、画素毎の基準白板読み取りデータにより、原稿読み取りデータを補正する。
【００６６】
２．ＭＴＦ補正
レンズなどを用いた光学系では、ＣＣＤによる読み取り出力は、レンズなどの性能により周辺画素情報が影響して、なまったように読み取られる。そこで、１つの画素データを求める際に、その周辺画素レベルにより補正することによって、再現性の高い画像を得る。
【００６７】
３．主走査方向変倍
本装置では、画像読み取りと書き込みの解像度は同一の４００ＤＰＩであるが、読み取り画像データのフレームメモリ読出し画素周波数は約１５ＭＨｚ、書き込み画素周波数は約１８ＭＨｚで異なるため周波数変換を行っている。また、７１〜１４１％の主走査方向の電気変倍を行っている。これは周辺画素データによる演算で算出している。
【００６８】
４．γ補正
電子写真方式を用いたレーザプリンタの濃度再現特性（プリンタのγ特性）はリニアでなく、そのままのデータでは原稿濃度が忠実に再現されない。本装置では変換テーブルを用いてプリント特性に合わせた書き込み露光光量に変換を行っている。また、マニュアルの濃度調整時も、この値を変更することで実現される。
【００６９】
「書き込み処理」
ＩＰＵ（画像処理装置）１０３から送られてきた画像データは、ＬＤ１０５により光エネルギーに変換される。プリンタ部の光書き込み方式はレーザビームをポリゴンミラーで偏向走査し、感光体上に露光し、静電潜像を形成する。ＬＤ１０５の変調方式は、主に１ドット内の露光時間を変調するパルス変調方式と、露光強度を変調するパワー変調方式とがあり、本装置では前者の方式を採用している。これにより、解像性、階調性を備えた高画質が得られる。
【００７０】
【発明の効果】
以上のように請求項１記載の発明によれば、綴じ部をホッチキス（ワイヤー）止めして、表紙を糊付けした本原稿などに対しても、見開いて載置された状態で見開き原稿面を走査し読み取る場合にも、正確に本原稿画像の位置を検出できる。また、正確に綴じ部に位置を検出できる。更に、検出された綴じ部の位置によって画像読み取り範囲を簡単にしかも正確に制御できる。このように、種々の制御が可能となり、また、装置として安価で簡単な構造にすることができ、動作速度も従来より速くなり、操作性及び生産性が向上される。
また、請求項１記載の発明によれば、第１頁に第２頁が食い込むこともなく、本来の第１頁，第２頁を的確に分離できる。これによって、画像品質がよくなり、見た目にも美しい本原稿画像が読み取られる。また、それを簡単な装置で実現できるので、装置を安価で小型にできる。また、面倒な入力操作もなくなるので、操作性が向上され、使い易い。
【００７１】
請求項２記載の発明によれば、綴じ部をホッチキス（ワイヤー）止めして、表紙を糊付けした本原稿などに対しても、見開いて載置された状態で見開き原稿面を走査し読み取る場合に、第１頁に第２頁が食い込むこともなく、本来の本原稿の端部を基準とした読み取り画像が得られ、綴じ部に掛って隠れてしまった部分については、不定の画像や過去に読み込まれた関係のない画像やノイズ画像になることもなく、予め設定された画像データとすることができ、所望の本原稿画像を読み取ることができる。これによって、画像品質がよくなり、見た目にも美しい本原稿画像が読み取られる。また、それを簡単な装置で実現できるので、装置を安価で小型にできる。また、面倒な入力操作もなくなるので、操作性が向上され、使い易い
【００７２】
請求項３記載の発明によれば、第１頁に第２頁が食い込むこともなく、第２頁が欠けることもない。また、第２頁の画像がずれてしまうこともなく、本来の第１頁，第２頁を的確に分離できる。これによって、画像品質がよくなり、見た目にも美しい本原稿画像が読み取られる。また、それを簡単な装置で実現できるので、装置を安価で小型にできる。また、面倒な入力操作もなくなるので、操作性が向上され、使い易い。
【００７３】
請求項４記載の発明によれば、綴じ部をホッチキス（ワイヤー）止めして、表紙を糊付けした本原稿などに対しても、見開いて載置された状態で見開き原稿面を走査し読み取る場合に、第１頁に第２頁が食い込むこともなく、第２頁が欠けることもない。また、第２頁の画像がずれてしまうこともなく、本来の第１頁，第２頁を的確に分離でき、本来の本原稿の端部を基準とした読み取り画像が得られ、綴じ部に掛って隠れてしまった部分については、不定の画像や過去に読み込まれた関係のない画像やノイズ画像になることもなく、予め設定された画像データとすることができ、所望の本原稿画像を読み取ることができる。これによって、画像品質がよくなり、見た目にも美しい本原稿画像が読み取られる。また、それを簡単な装置で実現できるので、装置を安価で小型にできる。また、面倒な入力操作もなくなるので、操作性が向上され、使い易い。
【００７４】
請求項５記載の発明によれば、予め設定された画像データを、「白画像データ」または「画像データ無し」としているので、「白画像データ」の時は、本来多くの本原稿画像の地肌は白または濃度の薄い色の無地であるので、地肌の読み取り画像も「白」となる場合が多く、、その「白」に合わせることによって、違和感のない、見た目にも美しい本原稿画像が読み取られ、画像品質が安定してよくなる。また、その範囲の画像データ無い分だけ記憶手段の記憶容量を小さくでき、構成も簡単になり、装置を安価で小型にできる。
【００７５】
請求項６記載の発明によれば、綴じ部をホッチキス（ワイヤー）止めして、表紙を糊付けした本原稿などに対しても、見開いて載置された状態で見開き原稿面を走査し読み取る場合に、見開き本原稿画像として出力する出力画像データにおいて、第１頁部分にに第２頁の画像が食い込むこともなく、全体の頁の画像がずれてしまうこともなく、本来の第１頁，第２頁を的確に分離でき、本来の本原稿の両方の端部をそれぞれの頁で基準とした読み取り画像が得られ、綴じ部に掛って隠れてしまった部分については、不定の画像や過去に読み込まれた関係のない画像やノイズ画像になることもなく、予め設定された画像データとすることができ、所望の本原稿画像を読み取ることができる。これによって、画像品質がよくなり、見た目にも美しい本原稿画像が読み取られる。また、それを簡単な装置で実現できるので、装置を安価で小型にできる。また、面倒な入力操作もなくなるので、操作性が向上され、使い易い。
【図面の簡単な説明】
【図１】本発明のＴＰＳにおける装置本体の全体的な構成を示す概略断面図である。
【図２】上記ＴＰＳにおける走査ユニットの頁めくりにより変位する本原稿左端部の遷移を示す図である。
【図３】本原稿綴じ部が移動した場合の同ＴＰＳにおける走査ユニットの頁めくりにより変位する本原稿左端部の遷移を示す図である。
【図４】本原稿綴じ部が薄い場合の同ＴＰＳにおける走査ユニットの頁めくりにより変
【図５】上記ＴＰＳにおける読み取りセンサの本原稿に対する読み取りデータを示す図である。
【図６】上記ＴＰＳの本原稿副走査方向端部画像検知回路を示すブロック図である。
【図７】上記ＴＰＳの本原稿セット例を示す平面図である。
【図８】上記ＴＰＳの本原稿頁収納検知部を示す側面図である。
【図９】本発明を応用したシステムの一例における画像読み取り部を示すブロック図である。
【図１０】同システムのＴＰＳにおけるスキャナデータ処理フローを示すフローチャートである。
【図１１】本発明の作用を説明するための本原稿の概略斜視図である。
【図１２】本発明の作用を説明するための他の本原稿の概略斜視図である。
【図１３】上記見開き本原稿の仕様を示す概略平面図である。
【図１４】上記見開き本原稿の拡大及び縮小時の仕様を示す概略平面図である。
【図１５】上記見開き本原稿の複写もしくは読み取り画像の概略平面図である。
【図１６】上記見開き本原稿の他のモードでの複写もしくは読み取り画像の概略平面図である。
【図１７】上記見開き本原稿の他の等倍時の仕様を示す概略平面図である。
【図１８】上記見開き本原稿の他の拡大時の仕様を示す概略平面図である。
【図１９】上記見開き本原稿の他の縮小時の仕様を示す概略平面図である。
【図２０】上記見開き本原稿の更に他のモードでの複写もしくは読み取り画像の概略平面図である。
【図２１】上記本原稿の読み取り範囲とメモリ範囲との関係の説明図である。
【図２２】上記本原稿の他の読み取り範囲とメモリ範囲との関係の説明図である。
【図２３】上記本原稿の拡大時の読み取り範囲とメモリ範囲との関係の説明図である。
【図２４】上記本原稿の縮小時の読み取り範囲とメモリ範囲との関係の説明図である。
【図２５】上記本原稿の更に他の読み取り範囲とメモリ範囲との関係の説明図である。
【図２６】上記走査ユニットの概略を示す断面図である。
【符号の説明】
１０１      読み取りセンサ
１０２      ＶＰＵ
１０３      ＩＰＵ
１０４      フレームメモリ
１０４’      画像処理用メモリ
２００      走査ユニット
２０８      めくりベルト
４０１      カウンタ
４０２      データラッチ回路
４０３      デジタルコンパレータ
４０４，４０５      Ｄフリップフロップ
４０６      アンド回路
Ａ      表紙サイズ
Ａｍ      見開きサイズ
ＢＯ      本原稿
【図１】
0003670692.tif 000002
【図２】
0003670692.tif 000003
【図３】
0003670692.tif 000004
【図４】
0003670692.tif 000005
【図５】
0003670692.tif 000006
【図６】
0003670692.tif 000007
【図７】
0003670692.tif 000008
【図８】
0003670692.tif 000009
【図９】
0003670692.tif 000010
【図１０】
0003670692.tif 000011
【図１１】
0003670692.tif 000012
【図１２】
0003670692.tif 000013
【図１３】
0003670692.tif 000014
【図１４】
0003670692.tif 000015
【図１５】
0003670692.tif 000016
【図１６】
0003670692.tif 000017
【図１７】
0003670692.tif 000018
【図１８】
0003670692.tif 000019
【図１９】
0003670692.tif 000020
【図２０】
0003670692.tif 000021
【図２１】
0003670692.tif 000022
【図２２】
0003670692.tif 000023
【図２３】
0003670692.tif 000024
【図２４】
0003670692.tif 000025
【図２５】
0003670692.tif 000026
【図２６】
0003670692.tif 000027